(57)【要約】【課題】長期間にわたり生体電気信号を的確に計測できる生体電気信号測定装置を提供することを目的とする。【解決手段】本発明に係る生体電気信号測定装置９００は、被験者の衣服４１０の内側に配置され、前記被験者から発せられる電位信号を検出する、少なくとも２つの電極１１０ａ，１１０ｂと、前記電極１１０ａ，１１０ｂと電気的に接続し、前記被験者の衣服４１０を貫通する、導電性のピン１２０ａ，１２０ｂと、前記ピン１２０ａ，１２０ｂと電気的に接続し、前記ピン１２０ａ，１２０ｂを固定する、接続部１３０ａ，１３０ｂと、前記被験者の衣服４１０の外側に位置し、前記被験者の生体電気信号を検出する生体電気信号検出部１４０と、前記生体電気信号を外部へ送信する外部ケーブル１８２と、を有する。【選択図】図２
2009160091.tif 000002
【特許請求の範囲】
【請求項１】
被験者の衣服の内側に配置され、前記被験者から発せられる電位信号を検出する、少なくとも２つの電極と、
前記電極と電気的に接続し、前記被験者の衣服を貫通する、導電性の貫通部と、
前記貫通部と電気的に接続し、前記貫通部を固定する、接続部と、
前記被験者の衣服の外側に位置し、前記被験者の生体電気信号を検出する生体電気信号検出部と、
前記生体電気信号を外部へ送信する信号送信部と、を有する、
ことを特徴とする生体電気信号測定装置。
【請求項２】
前記信号送信部が、前記生体電気信号検出部が検出した生体電気信号を処理する生体電気信号処理部に、無線方式で生体電気信号を転送する、無線モジュールであり、
前記生体電気信号検出部と前記無線モジュールとに電力を供給する、電源部を有する、
ことを特徴とする請求項１記載の生体電気信号測定装置。
【請求項３】
前記電極が、弾性を有する導電性繊維で形成されている、
ことを特徴とする請求項１又は２記載の生体電気信号測定装置。
【請求項４】
前記貫通部は複数であり、一つの電極に対して複数の貫通部が接続している、
ことを特徴とする請求項１乃至３の何れか１項に記載の生体電気信号測定装置。
【請求項５】
前記貫通部の前記接続部に対する固定は、摩擦力と磁力の少なくとも何れか一方による固定である、
ことを特徴とする請求項１乃至４の何れか１項に記載の生体電気信号測定装置。
【請求項６】
前記接続部は、孔部を有する、高密度充填された導電性繊維の塊状体で形成され、
前記貫通部を前記孔部に嵌め込むことにより、前記貫通部と前記孔部との摩擦力で前記貫通部を前記接続部に固定する、
ことを特徴とする請求項５記載の生体電気信号測定装置。
【請求項７】
前記貫通部は磁石で形成されており、
前記貫通部を前記接続部に磁力で固定させることにより、前記貫通部を前記接続部に固定する、
ことを特徴とする請求項５記載の生体電気信号測定装置。
【請求項８】
前記接続部と前記生体電気信号検出部とは、ケースであるユニット本体に収納されている、
ことを特徴とする請求項１乃至７の何れか１項に記載の生体電気信号測定装置。
【請求項９】
前記導電性繊維は、樹脂中に酸化処理した導電性カーボンブラックを分散してなる樹脂繊維である、
ことを特徴とする請求項３記載の生体電気信号測定装置。
【請求項１０】
前記生体電気信号は、筋電位信号、心電位信号、若しくは、脳波の何れかである、
ことを特徴とする請求項１乃至９の何れか１項に記載の生体電気信号測定装置。
【請求項１１】
前記電極は、前記被験者の皮膚に接触する、
ことを特徴とする請求項１乃至１０の何れか１項に記載の生体電気信号測定装置。
【請求項１２】
前記貫通部は、前記接続部に着脱可能に電気的に接続される、
ことを特徴とする請求項１乃至１１の何れか１項に記載の生体電気信号測定装置。
【請求項１３】
前記貫通部は、ピンである、
ことを特徴とする請求項１乃至１２の何れか１項に記載の生体電気信号測定装置。
【請求項１４】
前記ピンは、円錐形状である、
ことを特徴とする請求項１３記載の生体電気信号測定装置。
【請求項１５】
前記電源部は、前記被験者の身体に取付けられるバッテリと、前記バッテリと電気的に接続する電源線と、を有する、
ことを特徴とする請求項２記載の生体電気信号測定装置。
【請求項１６】
前記電源部は、前記被験者の身体の動きにより発電する発電器を有する、
ことを特徴とする請求項２記載の生体電気信号測定装置。
【発明の詳細な説明】
【技術分野】
【０００１】
本発明は、生体電気信号測定装置に関する。
【背景技術】
【０００２】
近年、生体電気信号を計測し、計測した生体電気信号を健康管理や行動モニタリングに活用しようというニーズが高まっている。
【０００３】
例えば、特許文献1には、衣服の一部に導電性繊維で形成されている電極を設け、その電極で被験者の生体電気信号を測定する、生体電気信号測定装置が記載されている。
【０００４】
また、例えば、特許文献２には、筋電アンプを内蔵するユニット本体にコネクタブロックを設け、そのコネクタブロックを介してユニット本体に電極を着脱可能に接続する筋電アンプユニットが記載されている。
【０００５】
しかし、特許文献１記載の発明では、長期間にわたり生体電気信号を計測しようとすると、被験者は、導電性繊維からなる電極を有する衣服を長期間着用する必要がある。そうすると、衣服が汗で汚れたり、電極として使われている導電性繊維が汗を吸うことで特性が変化する可能性がある。一方、衣服を洗濯すると、電極に使われている導電性繊維のカーボン等の導電性微粒子が洗い流される可能性がある。
【０００６】
また、特許文献２記載の発明では、アンプ等が内蔵されているユニット本体が被験者の皮膚に接触することがある。人間の皮膚は微量ながらも静電気が帯電していることがあり、ユニット本体が被験者の皮膚に接触することで、ノイズが検出されることがある。
【０００７】
【特許文献１】特開２００６−２４７０７５号公報
【特許文献２】特開２００３−０５２６５７号公報
【発明の開示】
【発明が解決しようとする課題】
【０００８】
本発明は上述の問題を解決するものであり、長期間にわたり生体電気信号を計測することができるとともに、ノイズの発生が少ない生体電気信号測定装置を提供することを目的とする。また、本発明は、長期間にわたり生体電気信号を的確に計測できる生体電気信号測定装置を提供することを目的とするものである。
【課題を解決するための手段】
【０００９】
上記目的を達成するため、この発明の第１の観点に係る生体電気信号測定装置は、
被験者の衣服の内側に配置され、前記被験者から発せられる電位信号を検出する、少なくとも２つの電極と、
前記電極と電気的に接続し、前記被験者の衣服を貫通する、導電性の貫通部と、
前記貫通部と電気的に接続し、前記貫通部を固定する、接続部と、
前記被験者の衣服の外側に位置し、前記被験者の生体電気信号を検出する生体電気信号検出部と、
前記生体電気信号を外部へ送信する信号送信部と、を有する、ことを特徴とする。
【００１０】
また、前記信号送信部が、前記生体電気信号検出部が検出した生体電気信号を処理する生体電気信号処理部に、無線方式で生体電気信号を転送する、無線モジュールであり、
前記生体電気信号検出部と前記無線モジュールとに電力を供給する、電源部を有する、ことも可能である。
【００１１】
また、前記電極が、弾性を有する導電性繊維で形成されている、ことも可能である。
【００１２】
また、前記貫通部は複数であり、一つの電極に対して複数の貫通部が接続している、ことも可能である。
【００１３】
また、前記貫通部の前記接続部に対する固定は、摩擦力と磁力の少なくとも何れか一方による固定である、ことも可能である。
【００１４】
また、前記接続部は、孔部を有する、高密度充填された導電性繊維の塊状体で形成され、
前記貫通部を前記孔部に嵌め込むことにより、前記貫通部と前記孔部との摩擦力で前記貫通部を前記接続部に固定する、ことも可能である。
【００１５】
また、前記貫通部は磁石で形成されており、
前記貫通部を前記接続部に磁力で固定させることにより、前記貫通部前記接続部に固定する、ことも可能である。
【００１６】
前記接続部と前記生体電気信号検出部とは、ケースであるユニット本体に収納されている、ことも可能である。
【００１７】
前記導電性繊維は、樹脂中に酸化処理した導電性カーボンブラックを分散してなる樹脂繊維である、ことも可能である。
【００１８】
前記生体電気信号は、筋電位信号、心電位信号、若しくは、脳波の何れかである、ことも可能である。
【００１９】
また、前記電極は、前記被験者の皮膚に接触する、ことも可能である。
【００２０】
また、前記貫通部は、前記接続部に着脱可能に電気的に接続される、ことも可能である。
【００２１】
また、前記貫通部は、ピンである、ことも可能である。
【００２２】
また、前記ピンは、円錐形状である、ことも可能である。
【００２３】
また、前記電源部は、前記被験者の身体に取付けられるバッテリと、前記バッテリと電気的に接続する電源線と、を有する、ことも可能である。
【００２４】
また、前記電源部は、前記被験者の身体の動きにより発電する発電器を有する、ことも可能である。
【発明の効果】
【００２５】
本発明に係る生体電気信号測定装置は、長期間にわたり生体電気信号を的確に計測できる。
【発明を実施するための最良の形態】
【００２６】
（実施形態１）
図１に示されるように、生体電気信号測定装置９００は、電極１１０ａ，１１０ｂと、貫通部１１９ａ，１１９ｂと、接続部１３０ａ，１３０ｂと、生体電気信号検出部１４０と、信号送信部１８０と、を有する。生体電気信号検出部１４０は、ケースであるユニット本体１５０内に設けられている。
【００２７】
（実施形態２）
図２に示されるように、生体電気信号検出部１４０は被験者の衣服４１０の外側に位置する。また、生体電気信号検出部１４０と電気的に接続する接続部１３０ａ、１３０ｂも、被験者の衣服４１０の外側に位置する。
【００２８】
電極１１０ａ，１１０ｂは、被験者の各部から発せられる電位信号を検出する。ここで、電位信号とは、被験者の各部の筋収縮に伴って発生する電気信号である。電極１１０ａ，１１０ｂは、被験者の衣服の内側で、被験者の皮膚に直接に接触するように設置される。
【００２９】
電極１１０ａ，１１０ｂは、導電性物質で形成される。導電性物質としては、白金、金、銀、銅、鉄、アルミなどの金属の薄板を使用することができる。
また、導電性物質としては、被験者の皮膚に触れた際の異物感のなさや、皮膚の形状に沿った形に変形しやすいものが好ましい。そのため、導電性物質は導電性繊維であることが好ましい。導電性繊維は、カーボン繊維、金属繊維、合成樹脂繊維等の導電性繊維を使用することができる。また、導電性繊維として、ポリアセチレンやポリピロールのような導電性ポリマーを使用することができる。また、導電性繊維は、樹脂中に酸化処理した導電性カーボンブラックを分散してなる樹脂繊維とすることも可能である。樹脂中に導電性カーボンブラックを分散してあるから、導電性が均一である導電性繊維とすることができる。
【００３０】
貫通部はピン１２０ａ，１２０ｂで形成される。ピン１２０ａ，１２０ｂで形成されるから、被験者の衣服４１０を貫通しやすい。ピン１２０ａ，１２０ｂは略円錐形状である。そのため、ピン１２０ａ，１２０ｂの円錐の頂点部を先端として衣服４１０を穿刺すれば、衣服４１０を痛めることなく貫通しやすい。ピン１２０ａ，１２０ｂの一方の端部は、接続部１３０ａ，１３０ｂに形成されている孔部１３４ａ，１３４ｂにそれぞれ差し込まれる。
【００３１】
ピン１２０ａ，１２０ｂは被験者の衣服４１０を貫通し、電極１１０ａ，１１０ｂとユニット本体１５０との間で被験者の衣服４１０を挟持することで、ユニット本体１５０を被験者の衣服４１０の表面に固定する。被験者の衣服４１０は、下着、Ｔシャツ、靴下、手袋、サポーター、帽子等の任意の衣服である。
【００３２】
ピン１２０ａ，１２０ｂは導電性の剛体であり、電極１１０ａ、１１０ｂと接続部１３０ａ，１３０ｂとの間を電気的に接続する。ピン１２０ａ，１２０ｂは、例えば、白金、金、銀、銅、鉄、アルミ等の金属で形成される。
【００３３】
接続部１３０ａ、１３０ｂは導電性物質で形成されている。接続部１３０ａ、１３０ｂは、生体電気信号検出部１４０と電気的に接続しており、電極１１０ａ，１１０ｂからの電位信号を生体電気信号検出部１４０に伝える。
【００３４】
また、接続部１３０ａ、１３０ｂには、孔部１３４ａ，１３４ｂが形成されている。孔部１３４ａ，１３４ｂには、ピン１２０ａ，１２０ｂの一方の端部が着脱可能である。
【００３５】
生体電気信号検出部１４０は、電極１１０ａ，１１０ｂ間の電位差を増幅することにより、生体電気信号を検出する。生体電気信号としては、筋電位信号、心電位信号若しくは脳波等があげられる。ここで、生体電気信号とは、被験者の電位信号を空間的・時間的に合成した信号の差を増幅したものであり、被験者の体内に発生する電気に起因する信号である。心電位信号とは、心臓の活動電位に関する信号である。筋電位信号とは、例えば手足等の筋肉の収縮に伴って発生する活動電位に関する信号である。脳波とは、脳が発生する電位変化に関する信号である。なお、生体電気信号は、これら以外の信号であってもよい。
【００３６】
生体電気信号検出部１４０は、図３に示すように、オペアンプ１４１〜１４３を有する。オペアンプ１４１〜１４３は、電極１１０ａ，１１０ｂが検出した電位信号の差を増幅することにより、被検者の生体電気信号を検出するためのものである。このオペアンプ１４１〜１４３には、信号を効率良く取得するため、また、ＳＮ比を良好にするため、例えば、１０の１２乗Ω程度の高入力インピーダンスのアンプが使用される。
【００３７】
オペアンプ１４１，１４２は、取得する生体電気信号の周波数特性を改善するために備えられたものであり、それぞれ、ボルテージフォロワによって構成されている。即ち、オペアンプ１４１，１４２のそれぞれの出力端と−端子とが接続され、オペアンプ１４１の＋端子に電極１２０ａからの電位信号が供給され、オペアンプ１４２の＋端子に電極１２０ｂからの電位信号が供給される。そしてオペアンプ１４１，１４２の出力端は、それぞれ、オペアンプ１４３の−端子、＋端子に接続される。
【００３８】
オペアンプ１４３は、オペアンプ１４１の出力信号とオペアンプ１４２の出力信号との差信号を増幅するものである。
【００３９】
生体電気信号検出部１４０で増幅された電位差は、配線を介して、外部ケーブル１８２に伝えられる。本実施形態では、外部ケーブル１８２が信号送信部１８０に対応する。外部ケーブル１８２はユニット本体１５０に直接固定されている。外部ケーブル１８２は、図示しない電源と、生体電気信号処理部５１０とに接続している。
【００４０】
生体電気信号処理部５１０は、オペアンプ１４３から供給された信号を処理するためのものであり、図３に示すように、増幅回路５１１と、Ａ／Ｄ変換回路５１２と、コンピュータ５１３と、を備える。
【００４１】
増幅回路５１１は、生体電気信号検出部１４０から供給された信号を増幅するためのものである。Ａ／Ｄ変換回路５１２は、増幅回路５１１が増幅したアナログ信号をデジタル信号に変換するためのものである。コンピュータ５１３は、ＣＰＵ（Central  Processing  Unit）、ＲＯＭ（Read  Only  Memory）、ＲＡＭ（Random  Access  Memory）、ＨＤＤ（Hard  Disk  Drive）等を備え（いずれも図示せず）、Ａ／Ｄ変換回路５１２が変換したデジタル信号を処理するためのものである。
【００４２】
コンピュータ５１３で処理されたデジタル信号は、図３に示す矢印から図示しない出力装置へ送られ、出力装置から出力される。出力装置への出力は、例えば、表示デバイス（例えば、ＣＲＴや液晶ディスプレイなど）への表示でもよく、所定の機器への有線または無線の通信回線を介した送信でもよく、プリンタによる印刷でもよく、記録媒体への蓄積でもよい。
【００４３】
生体電気信号測定装置９００を被験者の衣服に装着する方法は、まず、図４Ａに示すように、電極１１０ａ，１１０ｂが取り付けられているピン１２０ａ，１２０ｂを、電極１１０ａ，１１０ｂが被験者の衣服の内側に位置させて、被験者の衣服に穿刺し、衣服を貫通させる。なお、衣服４１０の内側を矢印４１１で示し、外側を矢印４１２で示す。
【００４４】
次に、図４Ｂに示すように、被験者の衣服の外側から、ピン１２０ａ，１２０ｂに、中央に穴が形成されている板状体１３１ａ，１３１ｂをそれぞれ嵌め込む。ピン１２０ａ，１２０ｂと板状体１３１ａ，１３１ｂとの固定は、摩擦力でなされる。
【００４５】
次に、図４Ｃに示すように、接続部１３０ａ，１３０ｂと、生体電気信号検出部１４０とが内蔵されているユニット本体１５０と、ピン１２０ａ，１２０ｂとを位置あわせする。位置あわせは、ピン１２０ａ，１２０ｂの先端部と、接続部１３０ａ，１３０ｂの孔部１３４ａ，１３４ｂとで行う。なお、接続部１３０ａ，１３０ｂに形成されている孔部１３４ａ，１３４ｂは、理解促進のため、実線で記載されている。
【００４６】
次に、図４Ｄに示すように、ピン１２０ａ，１２０ｂを、それぞれ接続部１３０ａ，１３０ｂの孔部１３４ａ，１３４ｂに差し込む。
【００４７】
次に、図４Ｅに示すように、板状体１３１ａを、ネジ１３２ａ，１３３ａでユニット本体１５０の表面に固定する。板状体１３１ｂも、ネジ１３２ｂ，１３３ｂでユニット本体１５０の表面に固定する。なお、図４Ａ〜４Ｅに示す生体電気信号測定装置９００の装着方法は、一具体例であり、生体電気信号測定装置９００の装着方法を限定するものではない。
【００４８】
一方、生体電気信号測定装置９００を衣服４１０から取り外す場合は、まず、ネジ１３２ａ，ネジ１３２ｂ，１３３ａ，１３３ｂを取り外す。そして、ピン１２０ａ，１２０ｂを接続部１３０ａ，１３０ｂから取り外すことで、生体電気信号測定装置９００を衣服４１０から取り外すことができる。
【００４９】
本実施形態に係る生体電気信号測定装置９００は、生体電気信号検出部１４０が被験者の衣服４１０の外側に位置する。そのため生体電気信号検出部１４０が被験者の皮膚に直接接触することはない。だから、ノイズの発生を少なくして、被験者の生体電気信号を的確に検出することができる。
【００５０】
また、ピン１２０ａ、１２０ｂを、それぞれ接続部１３０ａ、１３０ｂから取り外すことで、生体電気信号測定装置９００を被験者の衣服４１０から取り外すことができる。そのため、仮に被験者の衣服４１０が汚れたとしても、被験者の衣服４１０を洗濯できる。また、仮に電極１１０ａ、１１０ｂが劣化したとしても、電極１１０ａ、１１０ｂを個別に交換できる。だから、長期かつ的確に、被験者の生体電気信号を計測することができる。
【００５１】
（実施形態３）
実施形態３に係る生体電気信号測定装置９００では、上述の実施形態と異なり、外部ケーブル１８２は設けられておらず、図５に示すように、ユニット本体１５０には、電源部１６０と無線モジュール１８３が設けられている。本実施形態では、無線モジュール１８３が信号送信部１８０に対応する。
【００５２】
無線モジュール１８３は、生体電気信号検出部１４０で増幅された電位差である出力データを受け取り、近距離無線方式を使って、図３に示した生体電気信号処理部５１０に出力データを転送する。
【００５３】
電源部１６０は、生体電気信号検出部１４０と無線モジュール１８３へ電源の供給を行う。
【００５４】
電源部１６０は、被験者の身体に取付けられるバッテリと電源線とで形成される。電源線は、生体電気信号検出部１４０及び無線モジュール１８３と、バッテリと、を電気的に接続する。なお、被験者の身体に取付けられるとは、面ファスナやひも等を利用して被験者の肉体に直接固定する場合と、被験者の衣服４１０のポケット等に入れられる場合と、を含む。
【００５５】
近距離無線方式としては、例えば、Bluetoothを利用することができる。Bluetoothを用いた場合、出力装置に1つの受信機を付けるだけで、同時に７つの生体電気信号測定装置９００からの出力データの受信が可能である。近距離無線方式としては、Bluetooth以外にも、RFID、ZigBee、WiFi、WiMax、DSRC等を使用することが可能である。
【００５６】
実施形態３では、外部ケーブル１８２を用いず、無線モジュール１８３を使って出力データを生体電気信号処理部５１０に転送する。そのため、外部ケーブル１８２の接続に伴う煩わしさや、外部ケーブル１８２の存在に起因する被験者の動きの制限を解消することができる。
【００５７】
（実施形態４）
実施形態４では、上述の実施形態と異なり、図６に示すように、ピン１２０ａは、２本の小型ピン１２１ａと１２２ａとから形成されている。また、ピン１２０ｂも、２本の小型ピン１２１ｂと１２２ｂとから形成されている。そして、一つの電極１１０ａに対して、２本の小型ピン１２１ａと１２２ａが接続している。また、電極１１０ｂに対しも、２本の小型ピン１２１ｂと１２２ｂが接続している。
【００５８】
実施形態４では、一つの電極に対して複数のピンが衣服４１０を貫通するため、ユニット本体１５０を強固に衣服４１０に固定することができる。また、電極１１０ａ，１１０ｂが、ピン１２０ａ，１２０ｂを軸に回転することがない。そのため、例えば、ピン１２０ａに取り付けられた電極１１０ａを被験者の皮膚に接触させるとき、電極１１０ａを被験者の皮膚に的確に接触させることができる。
【００５９】
（実施形態５）
上述の実施形態では、貫通部としてのピン１２０ａ，１２０ｂは、板状体１３１ａ，１３１ｂ及びネジ１３２ａ，１３２ｂ，１３３ａ，１３３ｂで物理的に接続部１３０ａ，１３０ｂに固定された。
実施形態５では、図７に示すように、貫通部は円柱体１２３ａ，１２３ｂで形成されており、円柱体１２３ａ，１２３ｂは磁石である。円柱体１２３ａの一方の端部は例えばＳ極であり、他方の端部はＮ極である。円柱体１２３ａは、一方の端部を電極１１０ａに磁力で固定させ、他方の端部を接続部１３０ａに磁力で固定させる。同様に、円柱体１２３ｂも、一方の端部を電極１１０ｂに磁力で固定させ、他方の端部を接続部１３０ｂに磁力で固定させる。円柱体１２３ａ，１２３ｂは、衣服を貫通可能なように、直径が例えば２〜４ｍｍ程度の円柱形状である。
【００６０】
実施形態５では、接続部１３０ａ，１３０ｂに孔部１３４ａ，１３４ｂを形成することなく、円柱体１２３ａ，１２３ｂを固定することも可能であるので、簡易に円柱体１２３ａ，１２３ｂを接続部１３０ａ，１３０ｂに固定できる。
なお、接続部１３０ａ，１３０ｂに孔部１３４ａ，１３４ｂを形成して、孔部１３４ａ，１３４ｂに磁石で形成された円柱体１２３ａ，１２３ｂを挿入するように構成することも可能である。
【００６１】
（その他の実施形態）
上述の実施形態では、ピン１２０ａ，１２０ｂは、接続部１３０ａ，１３０ｂに形成されている孔部１３４ａ，１３４ｂにそれぞれ差し込まれ、板状体１３１ａ，１３１ｂとネジ１３２ａ，１３３ａ若しくはネジ１３２ｂ，１３３ｂとで物理的に固定された。
【００６２】
もっともこのような実施形態に限定されない。接続部１３０ａ，１３０ｂを高密度充填された導電性繊維で形成し、孔部１３４ａ，１３４ｂをそれぞれ接続部１３０ａ，１３０ｂに設ける。そして、貫通部１１９ａ，１１９ｂを孔部１３４ａ，１３４ｂに差し込み、貫通部１１９ａ，１１９ｂと孔部１３４ａ，１３４ｂの内面との摩擦力で、貫通部１１９ａ，１１９ｂを接続部１３０ａ，１３０ｂに固定することも可能である。なお、貫通部１１９ａ，１１９ｂとしは、例えば、略円錐形状のピン１２０ａ，１２０ｂを用いることができる。
【００６３】
この形態では、接続部１３０ａ，１３０ｂを高密度充填された導電性繊維で形成するから、貫通部１１９ａ，１１９ｂと接続部１３０ａ，１３０ｂとの電気的接続も保たれる。また、孔部１３４ａ，１３４ｂの孔径を広く形成することで、貫通部１１９ａ，１１９ｂの刺さる深さにつき、ある程度の自由度を持たせることができる。
【００６４】
また、上述の実施形態では、外部ケーブル１８２がユニット本体１５０に直接固定された。もっともこのような実施形態に限定されない。ユニット本体１５０にコネクタブロックを形成し、外部ケーブル１８２はコネクタブロックを介して着脱可能になるように形成することも可能である。
【００６５】
上述の実施形態では、電極１１０ａ、１１０ｂを被験者の皮膚に直接接触させて、被験者の生体電気信号を測定したが、このような実施形態に限定されない。被験者の皮膚と電極１１０ａ、１１０ｂとの間の接触抵抗を下げるため、電解ペーストを電極１１０ａ、１１０ｂに塗布することもできる。
【００６６】
上述の実施形態５では、円柱体１２３ａ，１２３ｂを磁石で形成した。もっとも、このような実施形態に限定されない。電極１１０ａ，１１０ｂ及び接続部１３０ａ，１３０ｂを磁石で形成することも可能である。
【００６７】
また、上述の実施形態では、ピン１２０ａ，１２０ｂが接続部１３０ａ，１３０ｂに着脱可能であったが、このような実施形態に限定されず、電極１１０ａ、１１０ｂがピン１２０ａ，１２０ｂに着脱可能に構成することも可能である。
【００６８】
また、上述の実施形態では、ピン１２０ａ，１２０ｂは、接続部１３０ａ，１３０ｂに着脱可能に電気的に接続されたが、このような実施形態に限定されない。ピン１２０ａ，１２０ｂは、接続部１３０ａ，１３０ｂと一体的に構成することも可能である。
【００６９】
また、上述の実施形態では、電極１１０ａ，１１０ｂとピン１２０ａ，１２０ｂとを別個の部材として構成したが、このような実施形態に限定されず、電極１１０ａ，１１０ｂとピン１２０ａ，１２０ｂとを一体として構成することも可能である。かかる場合は、電極は、被験者の電位信号を検出する電極部と、被験者の衣服を貫通する穿刺部と、からなる。
【００７０】
筋電位信号、心電位信号若しくは脳波等の種々の生体電気信号を測定しやすくするために、被験者の身体の部位に対応して、電極の形状を変更することができる。例えば心電位信号を測定する場合は、電極は被験者の胸部に装着されるため、電極の形状を平板形状とすることが好ましい。また、例えば脳波を測定する場合は、電極は被験者の頭部に装着されるため、電極の形状を曲面形状とすることが好ましい。
【００７１】
上述の実施形態では、電極１１０ａ，１１０ｂは、被験者の皮膚に直接に接触したが、このような実施形態に限定されない。被験者の皮膚に非接触に配置させ、被験者の皮膚から放電される電位信号を検出することも可能である。
【００７２】
上述の実施形態では、電源部１６０は、バッテリと電源線とで形成されたが、このような実施形態に限定されない。電源部１６０は、発電器と電源線とで形成することも可能である。発電器は、被験者の身体の動きにより発電する。このような構成によれば、バッテリが電池切れになるおそれを避けることができる。
【図面の簡単な説明】
【００７３】
【図１】実施形態１に係る生体電気信号測定装置の概略を説明する図である。
【図２】実施形態２に係る生体電気信号測定装置の概略を説明する図であり、生体電気信号測定装置は被験者の衣服に留められている図である。
【図３】生体電気信号検出部と生体電気信号処理部とを説明する図である。
【図４Ａ】実施形態２に係る生体電気信号測定装置を被験者の衣服に取り付ける方法を説明する図であり、ピンを衣服に穿刺する図である。
【図４Ｂ】実施形態２に係る生体電気信号測定装置を被験者の衣服に取り付ける方法を説明する図であり、ピンに板状体を取り付ける図である。
【図４Ｃ】実施形態２に係る生体電気信号測定装置を被験者の衣服に取り付ける方法を説明する図であり、ユニット本体とピンとを位置あわせする図である。
【図４Ｄ】実施形態２に係る生体電気信号測定装置を被験者の衣服に取り付ける方法を説明する図であり、接続部の孔部にピンを挿入する図である。
【図４Ｅ】実施形態２に係る生体電気信号測定装置を被験者の衣服に取り付ける方法を説明する図であり、ピンをネジでユニット本体に固定する図である。
【図５】実施形態３に係る生体電気信号測定装置の概略を説明する図であり、無線モジュールが設けられている図である。
【図６】実施形態４に係る生体電気信号測定装置の概略を説明する図であり、一つの電極に対して複数のピンが設けられている図である。
【図７】実施形態５に係る生体電気信号測定装置の概略を説明する図であり、磁力により、電極が固定されている図である。
【符号の説明】
【００７４】
１１０ａ，１１０ｂ    電極
１１９ａ，１１９ｂ    貫通部
１２０ａ，１２０ｂ    ピン
１２１ａ，１２１ｂ    小型ピン
１２２ａ，１２２ｂ    小型ピン
１２３ａ，１２３ｂ    円柱体
１３０ａ，１３０ｂ    接続部
１３１ａ，１３１ｂ    板状体
１３２ａ，１３２ｂ    ねじ
１３３ａ，１３３ｂ    ねじ
１３４ａ，１３４ｂ    孔部
１４０    生体電気信号検出部
１４１    オペアンプ
１４２    オペアンプ
１４３    オペアンプ
１５０    ユニット本体
１６０    電源部
１８０    信号送信部
１８２    外部ケーブル
１８３    無線モジュール
４１０    衣服
５１０    生体電気信号処理部
５１１    増幅回路
５１２    Ａ／Ｄ変換回路
５１３    コンピュータ
９００    生体電気信号測定装置
【図１】
2009160091.tif 000003
【図２】
2009160091.tif 000004
【図３】
2009160091.tif 000005
【図４Ａ】
2009160091.tif 000006
【図４Ｂ】
2009160091.tif 000007
【図４Ｃ】
2009160091.tif 000008
【図４Ｄ】
2009160091.tif 000009
【図４Ｅ】
2009160091.tif 000010
【図５】
2009160091.tif 000011
【図６】
2009160091.tif 000012
【図７】
2009160091.tif 000013